(57)【要約】【課題】発光面の周辺部分の輝度の低下を抑制できる照明装置を提供する。【解決手段】本発明の照明装置１００は、底面１２１ａと、該底面の周囲に設けられ前記底面の内側に向けて傾斜した側面１２２ａとを有する基体１２０と、前記底面上に配列された複数の光源１１０と、前記底面上に設けられた第１光反射面１４１ａと、前記側面上に設けられ、前記光源から放出される光に対して前記第１光反射面に比べて正反射率の大きい第２光反射面１４２ａと、を具備することを特徴とする。【選択図】図１
2010009949.tif 000002
【特許請求の範囲】
【請求項１】
底面と、該底面の周囲に設けられ前記底面の内側に向けて傾斜した側面とを有する基体と、
前記底面上に配列された複数の光源と、
前記底面上に設けられた第１光反射面と、
前記側面上に設けられ、前記光源から放出される光に対して前記第１光反射面に比べて正反射率の大きい第２光反射面と、
を具備することを特徴とする照明装置。
【請求項２】
前記光源、前記第１光反射面及び前記第２光反射面の光放出方向に配置された光拡散板をさらに具備することを特徴とする請求項１に記載の照明装置。
【請求項３】
前記光拡散板の前記光源より放出された光の光拡散板側から見たときの前記第２光反射面上の反射像と平面的に重なる範囲には他の領域より光散乱度の大きい光散乱領域が配置されていることを特徴とする請求項２に記載の照明装置。
【請求項４】
前記光散乱領域の分布態様は、前記第２光反射面上の反射像と平面的に重なる範囲において密で、該範囲外において疎となることを特徴とする請求項３に記載の照明装置。
【請求項５】
請求項１乃至４のいずれか一項に記載の照明装置と、該照明装置の光出射側に配置される電気光学パネルとを備えたことを特徴とする電気光学装置。
【請求項６】
請求項５に記載の電気光学装置と、該電気光学装置の制御手段とを備えたことを特徴とする電子機器。
【発明の詳細な説明】
【技術分野】
【０００１】
本発明は照明装置、電気光学装置及び電子機器に関する。
【背景技術】
【０００２】
一般に、液晶表示パネルのバックライト等として用いられる照明装置としては、いわゆるエッジライト型と直下型が知られている。エッジライト型の照明装置は、導光板の側縁に光源を配置し、光源の光を導光板の側縁から入射して内部を伝播させて導光板の表面から出射させるものであり、照明装置の薄型化を図ることができるので、主としてノートパソコンや携帯電話の表示部に備えた液晶表示装置のバックライトに使用されている。一方、直下型の照明装置は、拡散板の下側に複数の光源を配置し、光源の光を拡散板を通して出射させるものであり、主として大画面の液晶テレビの表示部に備えた液晶表示装置のバックライトに使用されている。
【０００３】
上記の直下型の照明装置は、一般的には照明輝度を高めることができるとともに大画面でも輝度の均一性を得ることができる点で優れているが、薄型化により光源に対応する位置と、光源から離反した位置とで明暗が生じるという問題があった。この問題を解決するために、特許文献１又は特許文献２等に記載されているように種々の提案がなされている。
【０００４】
特許文献１には、光源を避けるための開口を備えた光反射シートを配置することで、発光面での輝度ムラ、色ムラを減少できる照明装置が記載されている。また、特許文献２には、光源の頂部に反射物質を設けるとともに、拡散板を支持する外ケースの内面の全面に亘って反射物質を設けてなる照明装置が記載されている。
【特許文献１】特開２００７−８０７９８号公報
【特許文献２】特開２００６−２４４９９０号公報
【発明の開示】
【発明が解決しようとする課題】
【０００５】
しかしながら、上記の特許文献１及び特許文献２に記載の照明装置は、複数の光源が配列されている範囲に対応する発光面の光源配列部分Ｃの輝度の均一性を図るためのものであり、光源の配列範囲の外縁部近傍では、照明輝度が低下するので、発光面全体を均一に照明することができないという問題がある。
【０００６】
そこで、本発明は上記問題点を解決するものであり、その課題は、発光面の周辺部分の輝度の低下を抑制できる照明装置を提供することにある。
【課題を解決するための手段】
【０００７】
上記課題を解決するために本発明の照明装置は、底面と、該底面の周囲に設けられ前記底面の内側に向けて傾斜した側面とを有する基体と、前記底面上に配列された複数の光源と、前記底面上に設けられた第１光反射面と、前記側面上に設けられ、前記光源から放出される光に対して前記第１光反射面に比べて正反射率の大きい第２光反射面と、を具備することを特徴とする。
【０００８】
この発明によれば、第２光反射面の正反射率が第１光反射面より大きいことにより、光源から放出された光が底面の周囲に設けられ底面の内側に向けて傾斜した側面の第２光反射面に照射されたときにそのまま側面の傾斜に従って光放出方向へ正反射される光量を増大させることができ、また、第１光反射面では相対的に光の散乱度が高くなって照明輝度の均一性が向上するので、発光面の光源配列部分Ｃにおける輝度の均一性を悪化させずに発光面の周辺部分Ｐにおける輝度の低下を抑制することができる。この構成により光源の配列範囲の外縁部近傍、つまり発光面の周辺部分Ｐでの照明輝度の低下を防止できる。
【０００９】
本発明の一の態様においては、前記光源、前記第１光反射面及び前記第２光反射面の光放出方向に配置された光拡散板をさらに具備することが好ましい。これによって、光源から直接放出された光、側面上の第２光反射面で反射された光、並びに、底面上の第１光反射面で反射された光を光拡散板が受け、透過後に光を散乱させることにより光散乱板から出射させる光を均一化して光拡散板より出射させることができる。すなわち、この構成により光拡散板から出射される光の輝度を均一化させることができ、照明装置の照明範囲において光の輝度を均一化させることが可能となる。一般的には、光拡散板は底面と離間した位置において底面と実質的に平行に設置され、このような構成により照明輝度の均一性に優れた面状光源を構成できる。
【００１０】
本発明において、前記光拡散板の前記光源より放出された光の光拡散板側から見たときの前記第２光反射面上の反射像と平面的に重なる範囲には他の領域より光散乱度の大きい光散乱領域が配置されていることが好ましい。この構成により発光面の周辺部分Ｐに光散乱度の大きい光散乱領域を設けることにより周辺部分Ｐでの光散乱を多くすることで周辺部分Ｐと他の領域での光拡散板から出射される光の輝度をより均一化できる。
【００１１】
この場合に、前記光散乱領域の分布態様は、前記第２光反射面上の反射像と平面的に重なる範囲において密で、該範囲外において疎となることが好ましい。この発明によれば、光散乱領域を光拡散板において分散配置させる場合には、反射像と平面的に重なる範囲内で光散乱領域を密とし当該範囲外で疎とすることで、発光面における照明輝度をさらに均一化することができる。すなわち、散乱領域の密度が前記第２光反射面上の反射像と平面的に重なる範囲において密で、該範囲外において疎となる構成により光拡散板から出射される光の輝度を光源、底面、側面からの光放出が不均一であっても光拡散板から出射される光の輝度を均一化させることができ、照明装置の照明範囲において光の輝度を均一化させることが可能となる。
【００１２】
また、本発明の電気光学装置は上記の照明装置と、該照明装置の光出射側に配置される電気光学パネルとを備えたことを特徴とする。この発明によれば、上記の照明装置を備えることにより、電子光学装置の表示画面において輝度ムラの少ない良好な視認性が確保される。電気光学装置としては液晶表示装置等が挙げられる。
【００１３】
本発明の電子機器は、上記の電気光学装置と、その制御手段とを備えたことを特徴とする。このような電子機器としては、テレビジョン受像機、各種のモニタ装置、カーナビゲーションシステム等が挙げられる。
【発明を実施するための最良の形態】
【００１４】
次に、添付図面を参照して本発明に係る照明装置の実施形態について詳細に説明する。
［照明装置］
【００１５】
図１は本発明に係る実施形態の照明装置を模式的に示す概略縦断面図である。図２は図１のII−II′線で切断した部分を上方向から見た状態を模式的に示す概略縦断面図である。照明装置１００は複数のＬＥＤ（発光ダイオード）等よりなる光源１１０と、複数の光源１１０を配置した基体であるケース１２０と、複数の光源１１０を覆うようにケース１２０の周縁部に支持された光散乱手段１３０とを有する。
【００１６】
図１及び図２に示すように、複数の光源１１０はケース１２０の底部１２１の内面である底面１２１ａ上に配置された配線基板１１２に実装され、縦横に一定間隔で配列されている。
【００１７】
ケース１２０は、矩形状の底部１２１と、この底部１２１の周囲を囲む側部１２２とから構成されている。この側部１２２は底部１２１の周縁部から上方向に向かって所定角度で開くように傾斜する側面１２２ａを有している。また、この側部１２２の上端部が拡散板１３０の周辺部分に当接して拡散板１３０を支持している。
【００１８】
また、ケース１２０の底面１２１ａ上には第１光反射体１４１が配置されているとともに、側面１２２ａ上には第２光反射体１４２が配置されている。これらの第１光反射体１４１と第２光反射体１４２は、光を反射させる第１光反射面１４１ａ及び第２光反射面１４２ａを備え、例えば、銀、アルミニウムなどからなる金属層、白色のＰＥ（ポリエチレン）若しくはＰＥＴ（ポリエチレンテレフタレート）などの合成樹脂からなるフィルムで構成される。
【００１９】
第１光反射面１４１ａは光散乱手段１３０からケース１２０の底部１２１側に戻る光を再度光散乱手段１３０に向かって反射させるためのものである。一方、第２光反射面１４２ａは光源から側方へ照射された光を光散乱手段１３０に向けて出射させるためのものであり、第２光反射面１４２ａの光源１１０から放出される光に対する正反射率が第１光反射面１４１の正反射率より大きくなるように構成されている。
【００２０】
具体的には、図３（ａ）、図３（ｂ）に示すように、第２光反射面１４２ａに光源１１０から出射される光を入射させたとき、入射角θで入射する一定光量の入射光ａの光強度に対する反射光の正反射成分Ｒ２（出射角θ）の光強度をｒ２とし、第１光反射面１４１ａに同様の入射光ａの光強度に対する反射光の正反射成分Ｒ１の光強度をｒ１とすると、光強度ｒ２が光強度ｒ１より大きい（ｒ２＞ｒ１）。すなわち、第２光反射面１４２ａの正反射率が第１光反射面１４１ａの正反射率より大きい。
【００２１】
第２光反射面１４２ａの正反射率を第１光反射面１４１ａより大きくするには、第２光反射面１４２ａの平滑性を高く（鏡面とし）、第１光反射面１４１ａの平滑性を低くする（粗面とする）ことが挙げられる。また、第２光反射面１４２ａを金属の表面で構成し、第１光反射面１４１ａを合成樹脂の表面で構成してもよい。
【００２２】
上記の反射特性をグラフで示すと、図４に示すように、同一の入射光ａに対する正反射方向（出射角θ）に出射される正反射光の強度が第２光反射面１４２ａで高く、第１光反射面１４１ａで低くなる。ここで、一般的には、第１光反射面１４１ａの反射光の反射角度依存性がなだらかで、第２の光反射面１４２ａの反射光の反射角度依存性が急峻になる。反射角度依存性がなだらかである場合には光は入射角に対して広い角度範囲に大きく散乱されるため、照射輝度の均一性を高める上では有効であるが、光源１１０が配置されていない部分では輝度の低下をもたらす。一方、反射角度依存性が急峻で、反射光の反射方向が狭い範囲に集中している場合には、反射方向が広範囲に分散しないので、照明輝度の均一性を高めることはできないが、光源１１０の配置されていない部分の輝度を高めることに寄与し、当該部分を明るくすることができる。
【００２３】
図１及び図２に示すように、照明装置１００の照明範囲（光散乱手段１３０から光が出射する範囲）Ｓのうち、光源１１０が配列されている範囲に相当する光源配列部分Ｃと、その外側にある周辺部分Ｐとに便宜上分けて考える。すると、光源配列部分Ｃでは、光源１１０から放出された光Ｌ１が直接光散乱手段１３０に入射し、光散乱手段１３０によって均一化されて出射するとともに、光散乱手段１３０から再び光源１１０側に戻った光Ｌ３が第１光反射面１４１ａで反射されてさらに光散乱手段１３０を通過して出射する。このとき、第１光反射面１４１ａが或る程度正反射率が低い面となっていれば、この反射時においても光が散乱され、光源配列部分Ｃにおける照明輝度の均一性に寄与する。
【００２４】
一方、第２光反射体１４２は傾斜した側面１２２ａ上に形成されていることにより側面１２２ａと同様に上方向（光散乱手段１３０の側）に向かって開くように傾斜している。このため、第２光反射面１４２ａの上記反射像１１１が視認される領域で反射された光Ｌ２はそのまま周辺部分Ｐにおいて光散乱手段１３０に照射される。すなわち、第２光反射面１４２ａの正反射率が第１光反射面１４１ａと同様に低い場合に比べると、周辺部分Ｐにおいて光散乱手段１３０の側へ反射される光量が大きくなり、それ以外の光源配列部分Ｃへ向かう光量は減少する。したがって、従来よりも周辺部分Ｐの輝度が相対的に大きくなる。
【００２５】
ここで、光散乱手段１３０は、本実施形態の場合、光拡散板１３１、光拡散板１３２、プリズムシート１３３、光拡散板１３４が順次に積層されてなる。光拡散板１３１、１３２、１３４は光を拡散させ、照明輝度を均一化するためのものであり、ボード、フィルム、シート等のいずれであってもよい。また、プリズムシート１３３は断面三角形状のプリズム構造を備えたシートであり、光の進行方向を光散乱手段１３０と直交する方向（法線方向）に偏向させ、光の出射方向を揃えて照明輝度を全体的に高めるための集光シートである。このような光拡散板や集光シートは必要に応じて適宜の構成とすることができ、単一の光拡散板で構成されるものであってもよく、図示例とは異なる組み合わせからなるものであってもよい。
【００２６】
光散乱手段１３０は、底面１２１ａ若しくは第１光反射面１４１ａに間隔を有して対向するとともに、側面１２２ａ若しくは第２光反射面１４２ａをも覆うように配置される。光散乱手段１３０は、好ましくは図示例のように底面１２１ａ及び第１光反射面１４１ａと実質的に平行な姿勢で設置される。
【００２７】
上記の光散乱手段１３０のうち、光拡散板１３１は光散乱作用を高めた散乱拡散板であり、図５に示すように、ポリエステルやポリカーボネート等からなる半透明（白色）の基材１３１ａ中に、点（ドット）状の多数の光散乱領域１３１ｂが分散配置されたものである。これらの光散乱領域１３１ｂは出射光を散乱させるものであり、上記基材１３１ａよりも光散乱度の高い領域となっている。これらの光散乱領域１３１ｂは、基材１３１ａ中に配置される微小な球体で構成されるものでもよいし、基材１３１ａの表面に形成された凹凸形状、或いは、基材１３１ａの表面に点状に塗布された明るい色調のインク等よりなる印刷層で構成されるものでもよい。すなわち、上記光散乱領域は、表面粗さが他の領域とは異なる構造とした領域、別途の散乱層（樹脂散乱層、印刷層など）を表面上に追加した領域、別途の散乱物質を内部に配置した領域などであってもよい。さらには、光散乱領域をプリズムシート、光学補償板等の他の光学シートに設けてもよく、例えば、プリズムシートに設けた場合には、プリズム角を他の領域と異なる角度とした領域とすることもできる。
【００２８】
この光散乱領域１３１ｂを光拡散板側から見たときの光源１１０の第２光反射面１４２ａ上の反射像１１１と平面的に重なる範囲に設けることで、当該反射像１１１を形成する反射光を光散乱領域１３１ｂによって高い散乱度で散乱させることができるため、照明輝度の均一性をより高めることができる。特に、第２光反射面１４２ａが高い正反射率を有する本実施形態の場合には、周辺部分Ｐにおける照明輝度の均一性を高めるために上記反射像１１１に対応する位置に光散乱領域を設けることがきわめて効果的である。
【００２９】
本実施形態では光拡散板１３１に多数の光散乱領域が分散配置されるが、本発明の光散乱手段１３１ｂはこれに限定されるものではなく、他の領域より光散乱度の高い領域であればよく、例えば、上記反射像１１１と対応する面積及び形状の領域で構成する（例えば、後述する光源対応領域Ａや正反射領域Ｂに対応した面積及び形状とする）など、光散乱領域の面積や形状に関しては種々の領域とすることができる。
【００３０】
本実施形態では、上記の光散乱領域１３１ｂは照明範囲Ｓの全面に亘り分散配置されているが、特に、光源１１０の直上位置を中心とする光源対応領域Ａと上記反射像１１１が得られる正反射領域Ｂにおいて密で、その他の領域では疎となる分布態様となっている。より詳細に述べると、光散乱領域１３１ｂは、上記光源対応領域Ａ及び正反射領域Ｂの中心に近づくほど密で、当該中心から離れるほど疎となるように分散配置される。もっとも、光源対応領域Ａのみ、或いは、正反射領域Ｂのみにおいて、上記のように粗密に構成してもよい。
【００３１】
上記構成の光拡散板１３１を用いることで、光源１１０から直接に光散乱手段１３０に入射する光Ｌ１、及び、光源１１０から正反射率の高い第２光反射面１４２ａで反射された光Ｌ２に対しては高い散乱率を及ぼし、それ以外の光Ｌ３に対しては比較的に低い散乱率を及ぼすことで、照明範囲Ｓの全体に亘りより均一な照明光を出射させることができる。
【００３２】
特に、本実施形態では、第２光反射面１４２ａを第１光反射面１４１ａよりも高い正反射率とすることで、照明輝度そのものは向上するが、周辺領域Ｐの照明輝度の均一性が悪化する虞があるが、上記のように正反射領域Ｂにおいても反射像１１１に対応させて光拡散領域１３１ｂの分布密度を粗密に構成することで、照明範囲Ｓ内の周辺部分Ｐにおいて十分な散乱率で光を散乱させることが可能になることから、従来より高い光量をより均一に出射させることができる。
【００３３】
［電気光学装置］
次に、図６を参照して上記照明装置を有する電気光学装置の例について説明する。図６は本発明の電気光学装置２００の実施形態の構造を模式的に示す概略分解斜視図である。電気光学装置２００には上記の照明装置１００が含まれ、基体であるケース１２０の底面１２１ａ上に配置された上記光源１１０を有し、側部１２２の上縁によって光散乱手段１３０が支持される。この光散乱手段１３０の上方には液晶表示パネルで構成される電気光学パネル１４０が配置される。電気光学パネル１４０は、ガラス等の透明な基板１４１と１４２が図示しないシール材を介して貼り合わされ、両基板間に図示しない液晶が封入されている。また、基板１４１には基板１４２の外形より外側に張り出した基板張出部１４１Ｔが設けられ、この基板張出部１４１Ｔ上に液晶駆動回路を構成する半導体ＩＣチップ等よりなる駆動回路１４５が実装されている。また、基板張出部１４１Ｔ上にはフレキシブル配線基板（ＦＰＣ）等で構成される配線基板１４６が実装される。
【００３４】
照明装置１００は背面枠５１の内部に収容されて固定されるとともに、この背面枠５１の内部周縁部に形成された支持面５１ａ上には上記電気光学パネル１４０が配置され、この上から前面枠５２が装着されて背面枠５１に係合し、これによって照明装置１００及び電気光学装置１４０が内部に保持される。前面枠５２には電気光学パネル１４０の表示画面を露出する開口部５２ａが設けられている。上記配線基板１４６は背面枠５１の側面と前面枠５２の側面との間を抜けて外部に引き出される。また、照明装置１００内の配線基板１１２（図示せず）はケース１２０から導出されるフレキシブル配線基板（ＦＰＣ）等の配線基板１１９に接続される。この配線基板１１９は直接電子機器側のコネクタに接続されてもよく、或いは、上記配線基板１４６に接続されるようにしてもよい。
【００３５】
[電子機器]
図７は、本発明に係る電子機器の一実施形態である液晶テレビジョン受像機の外観を示す。この液晶テレビジョン受像機よりなる電子機器３００は、表示部３１０と、支持部３２０とを有し、表示部３１０の内部に上記電気光学パネル１４０及び照明装置１００を含む電気光学装置２００が配置されている。照明装置１００から出射される照明光は電気光学パネル１４０を通過して出射し、これによって電気光学パネル１４０の表示画面を表示部３１０の表示面３１０Ａを通して視認できるようになっている。
【００３６】
図８は電子機器３００における電気光学装置２００に対する制御系（表示制御系）の全体構成を示す概略構成図である。電子機器３００は、表示情報出力源２９１と、表示情報処理回路２９２と、電源回路２９３と、タイミングジェネレータ２９４と、照明装置１００への電力供給を行う光源制御回路２９５とを含む表示制御回路２９０を有する。また、電気光学装置２００には、上述の構成を有する電気光学パネル１４０と、この電気光学パネル１４０を駆動する駆動回路１４５と、バックライトである上記の照明装置１００とが設けられている。ただし、駆動回路１４５は、上記のような態様の他に、電気光学パネル１４０の基板表面上に形成された電子部品や回路パターン、或いは、電気光学パネル１４０に導電接続された回路基板に実装されたＩＣチップ若しくは回路パターンなどによっても構成することができる。
【００３７】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００３８】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１４５へ供給する。駆動回路１４５は、走査線駆動回路、信号線駆動回路及び検査回路を含む。また、電源回路２９３は、上述の各構成要素にそれぞれ所定の電圧を供給する。
【００３９】
光源制御回路２９５は、電源回路２９３から供給される電圧に基づいて照明装置１００の光源１１０に電力を供給し、所定の制御信号に基づいて光源１１０の点灯の有無及びその輝度等を制御するようになっている。
【００４０】
また、本発明に係る電子機器としては、図８に示す液晶テレビジョン受像機の他に、カーナビゲーションシステム、携帯電話機、電子時計、電子手帳、電卓、ワークステーション、テレビ電話、ＰＯＳ端末機などが挙げられる。
【００４１】
尚、本発明の照明装置、電気光学装置及び電子機器は、上述の図示例にのみ限定されるものではなく、本発明の要旨を逸脱しない範囲内において種々変更を加え得ることは勿論である。たとえば、上記各実施形態のそれぞれの特徴的な構成を相互に組み合わせて他の種々の構造を実現することは当業者にとって自明な事項である。例えば、本実施形態においては光源１１０としてＬＥＤを用いる例を挙げたが、冷陰極管を用いてもよい。
【図面の簡単な説明】
【００４２】
【図１】本発明に係る実施形態の照明装置を模式的に示す概略縦断面図。
【図２】図１のII−II′線で切断した断面を上方向から見た状態を模式的に示す概略縦断面図。
【図３】実施形態の第１光反射面の光反射状態を示す模式図（ａ）と、実施形態の第２光反射面の光反射状態を示す模式図（ｂ）。
【図４】同実施形態の第１光反射面と第２光反射面による反射光の光強度分布を模式的にそれぞれ示すグラフ。
【図５】同実施形態の光拡散板の一部を拡大して光源側から見た状態を示す拡大平面図。
【図６】電気光学装置の構成例を示す分解斜視図。
【図７】液晶テレビジョン受像機である電子機器の概略斜視図。
【図８】電子機器の表示制御系の構成を示す概略構成図。
【符号の説明】
【００４３】
１００…照明装置、１１０…光源、１１１…反射像、１２０…ケース、１２１…底部、１２１ａ…底面、１２２…側部、１２２ａ…側面、１３０…光散乱手段、１３１…拡散板、１３１ａ…基材、１３１ｂ…光散乱領域、１４１…第１光反射体、１４１ａ…第１光反射面、１４２…第２光反射体、１４２ａ…第２光反射面、ａ…入射光、θ…所定角度、Ｒ１、Ｒ２…出射光の正反射成分、ｒ１、ｒ２…光強度、Ｓ…照明範囲、Ｐ…周辺部分、Ｃ…光源配列部分、Ａ、Ｂ…範囲、１４０…電気光学パネル、２００…電気光学装置、３００…電子機器、３１０…表示部、３１０Ａ…表示面、３２０…支持部
【図１】
2010009949.tif 000003
【図２】
2010009949.tif 000004
【図３】
2010009949.tif 000005
【図４】
2010009949.tif 000006
【図５】
2010009949.tif 000007
【図６】
2010009949.tif 000008
【図７】
2010009949.tif 000009
【図８】
2010009949.tif 000010